(57)【要約】 【課題】  弁筐の高さ及び蓋受枠上面の傾斜を容易に調節でき、製造コストも少なくてすみ、しかも作業が行い易く、作業効率を向上させて時間や経費の削減を図ることができる水道用弁筐を提供する。【解決手段】底盤１と、硬質塩化ビニール管からなる弁筐本体２と、下面に前記弁筐本体２と係合するテーパーを付した凹部４を設け、且つ上面に筒状部９を設けた台盤６’と、前記筒状部９に昇降自在に嵌挿した鋳物製蓋受枠３”とから構成する。【選択図】図３
2017110480.tif 000002
【特許請求の範囲】
【請求項１】
底盤と、硬質塩化ビニール管からなる弁筐本体と、下面に前記弁筐本体と係合するテーパーを付した凹部を設けた鋳物製蓋受枠とから構成したことを特徴とする水道用弁筐。
【請求項２】
底盤と、硬質塩化ビニール管からなる弁筐本体と、下面に前記弁筐本体と係合するテーパーを付した凹部を設け、且つ上面に設けた凹部に鋳物製蓋受枠を載置した台盤とから構成したことを特徴とする水道用弁筐。
【請求項３】
底盤と、硬質塩化ビニール管からなる弁筐本体と、下面に前記弁筐本体と係合するテーパーを付した凹部を設け、且つ上面に筒状部を設けた台盤と、前記筒状部に昇降自在に嵌挿した鋳物製蓋受枠とから構成したことを特徴とする水道用弁筐。
【請求項４】
底盤と、硬質塩化ビニール管からなる弁筐本体と、下面に前記弁筐本体の内面又は外面と係合するテーパーを付した数個の突起を設けた鋳物製蓋受枠とから構成したことを特徴とする水道用弁筐。
【請求項５】
底盤と、硬質塩化ビニール管からなる弁筐本体と、下面に前記弁筐本体の上端の内面又は外面と係合するテーパーを付した数個の突起を設け、且つ上面に凹部を設けた台盤と、前記凹部に載置した鋳物製蓋受枠とから構成したことを特徴とする水道用弁筐。
【請求項６】
底盤と、硬質塩化ビニール管からなる弁筐本体と、下面に前記弁筐本体の上端の内面又は外面と係合するテーパーを付した数個の突起を設け、且つ上面に筒状部を設けた台盤と、前記筒状部に昇降自在に嵌挿した鋳物製蓋受枠とから構成したことを特徴とする水道用弁筐。
【発明の詳細な説明】
【技術分野】
【０００１】
本発明は、上水道設備における仕切弁、空気弁、地下式消火栓等の弁筐に関するものである。
【背景技術】
【０００２】
従来、水道の仕切弁の弁筐として鋳物製のねじ式弁筐が用いられている。かかるねじ式弁筐は外周に雄ねじを設けた蓋受枠を兼ねる上部筒体と該上部筒体を螺合した下部筒体とから構成されており、施工時に上部筒体を回転させて上下させることによって上部筒体に嵌合した鉄蓋の上面を路面と合わせる構成となっており、路面が道路の再舗装時や地震等により上下した場合であっても上部筒体を回転させて新たな路面に合わせることができるが、路面が傾斜している場合、鉄蓋の上面を路面と合わせるには、弁筐自体を傾斜させて設置しなければならないという、施工上の問題があった。
【０００３】
また、前記ねじ式弁筐においては、ねじ構造の上部筒体と下部筒体を鋳造するのが難しいばかりでなく、製造時に上部筒体と下部筒体を螺合しようとしても上手く回転しない等の不良品が発生しやすく、コスト高になっていた。また埋設後に上述したように路面の高さが変わってしまったとき、長期間の埋設によって錆が生じたり、ねじ部に土砂等が入って先行文献に示すような道具を用いないと回転できなくなり高さを調節できなくなるといった問題があった。
【０００４】
更にねじ式弁筐は、上部筒体に嵌合した鉄蓋に加わる車両等の加重に耐えるようにするため弁筐全体の強度を高くする必要があり、そのために重量が増し、製品コストが高くなると共に輸送や設置作業等において取り扱いが困難といった問題があった。
【先行技術文献】
【特許文献】
【０００５】
【特許文献１】特開平１１−２４１３７７号公報
【非特許文献】
【０００６】
【非特許文献１】日本水道協会規格  ＪＷＷＡ  水道用ねじ式弁筐  (社)日本水道協会  平成１２年６月８日発行
【発明の概要】
【発明が解決しようとする課題】
【０００７】
そこで、本発明は、弁筐の高さ及び蓋受枠上面の傾斜を容易に調節でき、製造コストも少なくてすみ、しかも作業が行い易く、作業効率を向上させて時間や経費の削減を図ることができる水道用弁筐を提供することを課題とするものである。
【課題を解決するための手段】
【０００８】
本発明は、上記の課題を解決するためになされたもので、請求項1記載の発明は、底盤と、硬質塩化ビニール管からなる弁筐本体と、下面に前記弁筐本体と係合するテーパーを付した凹部を設けた鋳物製蓋受枠とから構成したことを特徴とする水道用弁筐である。
【０００９】
請求項２記載の発明は、底盤と、硬質塩化ビニール管からなる弁筐本体と、下面に前記弁筐本体と係合するテーパーを付した凹部を設け、且つ上面に設けた凹部に鋳物製蓋受枠を載置した台盤とから構成したことを特徴とする水道用弁筐である。
【００１０】
請求項３記載の発明は、底盤と、硬質塩化ビニール管からなる弁筐本体と、下面に前記弁筐本体と係合するテーパーを付した凹部を設け、且つ上面に筒状部を設けた台盤と、前記筒状部に昇降自在に嵌挿した鋳物製蓋受枠とから構成したことを特徴とする水道用弁筐である。
【００１１】
請求項４記載の発明は、底盤と、硬質塩化ビニール管からなる弁筐本体と、下面に前記弁筐本体の内面又は外面と係合するテーパーを付した数個の突起を設けた鋳物製蓋受枠とから構成したことを特徴とする水道用弁筐である。
【００１２】
請求項５記載の発明は、底盤と、硬質塩化ビニール管からなる弁筐本体と、下面に前記弁筐本体の上端の内面又は外面と係合するテーパーを付した数個の突起を設け、且つ上面に凹部を設けた台盤と、前記凹部に載置した鋳物製蓋受枠とから構成したことを特徴とする水道用弁筐である。
【００１３】
請求項６記載の発明は、底盤と、硬質塩化ビニール管からなる弁筐本体と、下面に前記弁筐本体の上端の内面又は外面と係合するテーパーを付した数個の突起を設け、且つ上面に筒状部を設けた台盤と、前記筒状部に昇降自在に嵌挿した鋳物製蓋受枠とから構成したことを特徴とする水道用弁筐である。
【００１４】
前記底盤と台盤は、鋳物又はレジンコンクリートで構成され、蓋受枠又は台盤の弁筐本体の上端と接する部分にはゴムパッキン等のシールリングを設けることが好ましい。
【発明の効果】
【００１５】
本発明に係る弁筐は、弁筐本体の上端と係合する蓋受枠または台盤の凹部あるいは突起にはテーパーが付されているので、道路勾配(通常０〜５％)に対応して蓋受枠上面を路面の傾斜に容易に合わせることができる。
【００１６】
また、請求項２及び請求項３記載の本発明によれば、台盤と蓋受枠間にスペーサーを挿入することにより高さの調整を行うことができる。
【図面の簡単な説明】
【００１７】
【図１】本発明の実施例１の縦断面図で、(ａ)図は路面が水平面の場合、(ｂ)図は傾斜路面に対応させた場合を示すものである。
【図２】本発明の実施例２の縦断面図で、(ａ)図は路面が水平面の場合、(ｂ)図は傾斜路面に対応させた場合を示すものである。
【図３】本発明の実施例３の縦断面図である。
【図４】本発明の実施例３の使用例を示す説明図で、(ａ)図は嵩上げした場合、(ｂ)図と(ｃ)図は傾斜路面に対応させた場合の状態を示すものである。
【図５】本発明の実施例４の上部縦断面図で、(ａ)図は突起を弁筐本体の内面に係合するように設けた場合、(ｂ)図は突起を弁筐本体の外面に係合するように設けた場合を示すものである。
【図６】本発明の実施例５の上部縦断面図で、(ａ)図は突起を弁筐本体の内面に係合するように設けた場合、(ｂ)図は突起を弁筐本体の外面に係合するように設けた場合を示すものである。
【図７】本発明の実施例６の縦断面図で、(ａ)図は突起を弁筐本体の内面に係合するように設けた場合、(ｂ)図は突起を弁筐本体の外面に係合するように設けた場合を示すものである。
【実施例１】
【００１８】
図１は本発明の第１の実施例の縦断面図で、(ａ)図は路面が水平面の場合、(ｂ)図は傾斜路面に対応させた場合の状態を示すもので、１は係合部１ａを設けた鋳物、レジンコンクリート等で構成される底盤、２は硬質塩化ビニール管からなる弁筐本体、３は鋳物製の蓋受枠で、下面にテーパーＰを付した凹部４が形成され、前記凹部４にはリング状のゴムパッキン５が接着剤で取付けられている。
【００１９】
次に、この実施例の現場における設置手順について説明すると、先ず底盤１を設置し、次に用意した長めの硬質塩化ビニール管を現場で適切な長さに切断して弁筐本体２を作り、その下端を底盤１の係合部１ａに嵌合させた後、弁筐本体２の周囲を埋め戻し、転圧して十分に強固な基礎を形成し、その上に蓋受枠３を設置すると共に下面に設けた凹部４を弁筐本体２と係合させ、蓋受枠３の周囲を埋め戻すと共に、アスファルト舗装を施す。
【００２０】
このようにして設置された弁筐が、地表面上を走行する車両等から蓋受枠３に取付けられた蓋体と、蓋受枠３を介して力を受けた場合において、この力は蓋受枠３と弁筐本体２に分散支持され、指定荷重に耐える弁筐を提供することができる。
【００２１】
また凹部４にはテーパーＰを付してあるので、蓋受枠３を(ｂ)図のように傾斜させることができるため、弁筐設置に要求される道路勾配に対応する弁筐を提供することができる。
【００２２】
以上のように、本発明に係る弁筐は、弁筐本体２として硬質塩化ビニール管を用いたので、全体を鋳物で構成される従来のねじ式弁筐に比し、遥かに軽量であるから、使い勝手がよく、在庫管理、輸送、設置作業等に優れているばかりでなく、現場において、適切な長さの弁筐を迅速に提供することができ、傾斜路面にも対応し得ることと相俟って頗る有用な弁筐である。
【実施例２】
【００２３】
図２は、弁筐の高さ及び蓋受枠上面の傾斜度の微調整を行いうるように工夫した実施例２の縦断面図である。
【００２４】
実施例１と異なる点は、下面に硬質塩化ビニール管からなる弁筐本体２と係合するテーパーＰを付した凹部４を設けた台盤６の上面の凹部７に鋳物製の蓋受枠３’を嵌挿するように構成した点である。
【００２５】
このように構成することにより、前記実施例１の場合と同様に傾斜路面に対応し得ると共に、台盤６と蓋受枠３’の間にスペーサー８，８を挿入することにより、弁筐の高さの微調整を行うことができる。また傾斜路面用スペーサー(図示せず)を用いることにより、蓋受枠３’の傾斜度の微調整を行うことができる弁筐を提供することができ、弁筐本体２を硬質塩化ビニール管としたことによる施工上の利点や、製造コストの低減等の効果と相俟って、有用な弁筐を提供することができる。
【実施例３】
【００２６】
図３は、実施例３の縦断面図を示すもので、実施例１の作用、効果の他、嵩上げが必要となった場合や、弁筐の高さ不足の場合に、蓋受枠の周囲を掘ることなく、即ちノンカットで嵩上げ又は弁筐の高さの調整を行う得るように構成したものである。
【００２７】
即ち、図３に示す実施例３では、底盤１と、硬質塩化ビニール管からなる弁筐本体２と、下面に前記弁筐本体２と係合するテーパーＰを付した凹部４を設け、且つ上面に筒状部９を設けた台盤６’と、前記筒状部９に昇降自在に嵌挿した鋳物製の蓋受枠３”とから構成したものである。
【００２８】
この図３に示す実施例の弁筐は、図４の(ａ)図に示すように嵩上げを必要とするとき、台盤６’と蓋受枠３”間にスペーサー１０，１０を挟むことによりノンカットで嵩上げを行うことができる。
【００２９】
また、図４の(ｂ)図に示すように台盤６’を傾斜させることにより、実施例１の弁筐と同様、傾斜路面に対応することができると共に、筒状部９と蓋受枠３”間に１ｍｍ程度の隙間があれば、図４の(ｃ)図に示すように台盤６’と蓋受枠３”間に傾斜用スペーサー１１を挟むことによっても０〜５％程度の傾斜路面に対応させることができる。
【００３０】
なお、この実施例の場合、雨水等の浸水を防止するため、筒状部９と蓋受枠３”の隙間に防水リング１２又は１２’を施す。
【実施例４】
【００３１】
図５は実施例４の上部縦断面図を示すもので、硬質塩化ビニール管からなる弁筐本体２と鋳物製蓋受枠を係合させるために実施例１のように凹部とせずにテーパーを付した数箇の突起１３(実施例では３箇を等間隔に設けた)を設けるようにしたものである。
【００３２】
即ち、(ａ)図に示すように蓋受枠３ａに設けた突起１３を弁筐本体２の内面に、又は(ｂ)図に示すように突起１３’を弁筐本体２の外面に係合するように設けるようにしたものである。
【００３３】
このように構成することにより前記実施例１と同様の作用・効果が得られ、また使い方ができる弁筐を提供することができる。
【実施例５】
【００３４】
図６は実施例５の上部縦断面図を示すもので、硬質塩化ビニール管からなる弁筐本体２と蓋受枠３ｂを上部凹部７に載置した台盤６ａとを係合させるために、実施例２のように凹部とせずにテーパーを付した数箇の突起(実施例では３箇を等間隔に設けた)を設けるようにしたものである。
【００３５】
即ち、(ａ)図に示すように台盤６ａに設けた突起１３を弁筐本体２の内面に、又は(ｂ)図に示すように突起１３’を弁筐本体２の外面に係合するように設けるようにしたものである。
【００３６】
このように構成することにより、前記実施例２と同様の作用・効果が得られ、また使い方ができる弁筐を提供することができる。
【実施例６】
【００３７】
図７は実施例６の上部縦断面図を示すもので、硬質塩化ビニール管からなる弁筐本体２と蓋受枠３”を上部筒状部９に昇降自在に嵌挿した台盤６ｂとを係合させるために、実施例３のように凹部とせずにテーパーを付した数箇の突起(実施例では３箇を等間隔に設けた)を設けるようにしたものである。
【００３８】
即ち、(ａ)図に示すように台盤６ｂに設けた突起１３を弁筐本体２の内面に、又は(ｂ)図に示すように突起１３’を弁筐本体２の外面に係合するように設けるようにしたものである。
【００３９】
このように構成ことにより、前記実施例３と同様の作用・効果が得られ、また使い方ができる弁筐を提供することができる。
【符号の説明】
【００４０】
１                                      底盤
１ａ                                    係合部
２                                      弁筺本体
３，３’                                蓋受枠
４，７                                  凹部
５                                      ゴムパッキン
６，６’，６ａ，６ａ’，６ｂ，６ｂ’    台盤
８，１０                                スペーサー
９                                      筒状部
１１                                    傾斜用スペーサー
１２，１２’                            防水リング
１３，１３’                            突起
【図１】
2017110480.tif 000003
【図２】
2017110480.tif 000004
【図３】
2017110480.tif 000005
【図４】
2017110480.tif 000006
【図５】
2017110480.tif 000007
【図６】
2017110480.tif 000008
【図７】
2017110480.tif 000009